(57)【要約】【課題】表示領域に応じて、テキストの表示態様を好適に制御し得る表示装置等を提供する。【解決手段】  画像データと、前記画像データに関連するテキストの少なくとも一部とを、所定の表示領域に同時に表示する表示部と、前記表示領域に前記テキストの少なくとも一部を表示する際、前記テキストに含まれるキャラクタの大きさを制御するキャラクタサイズ制御部と、を有し、前記キャラクタサイズ制御部は、前記表示領域の大きさに応じて、前記表示領域の大きさに対する前記キャラクタの大きさの比率を、変化させることを特徴とする表示装置。【選択図】図６
2014137506.tif 000002
【特許請求の範囲】
【請求項１】
画像データと、前記画像データに関連するテキストの少なくとも一部とを、所定の表示領域に同時に表示する表示部と、
前記表示領域に前記テキストの少なくとも一部を表示する際、前記テキストに含まれるキャラクタの大きさを制御するキャラクタサイズ制御部と、を有し、
前記キャラクタサイズ制御部は、前記表示領域の大きさに応じて、前記表示領域の大きさに対する前記キャラクタの大きさの比率を、変化させることを特徴とする表示装置。
【請求項２】
請求項１に記載された表示装置であって、
前記画像データに基づいて前記テキストを生成するテキスト生成部を有し、
前記表示部が表示する前記テキストは、前記テキスト生成部によって生成されたものであることを特徴とする表示装置。
【請求項３】
請求項１又は請求項２に記載された表示装置であって、
前記キャラクタサイズ制御部は、前記表示領域の大きさが第１の値である場合における前記表示領域の大きさに対する前記キャラクタの大きさの比率を、前記表示領域の大きさが前記第１の値より大きい第２の値である場合における前記表示領域の大きさに対する前記キャラクタの大きさの比率より、大きくすることを特徴とする表示装置。
【請求項４】
請求項１から請求項３までのいずれか１項に記載された表示装置であって、
前記キャラクタサイズ制御部は、前記画像データが生成された日時に応じて、前記表示領域の大きさに対する前記キャラクタの大きさの比率を、変化させることを特徴とする表示装置。
【請求項５】
請求項１から請求項４までのいずれか１項に記載された表示装置であって、
前記テキストのうち前記表示部に表示する部分であるテキスト表示部分を制御する表示部分制御部を有し、
前記表示部分制御部は、前記表示領域の大きさに応じて、前記テキスト表示部分を変化させることを特徴とする表示装置。
【請求項６】
請求項５に記載された表示装置であって、
前記表示部分制御部は、前記表示領域の大きさが第３の値である場合における前記テキスト表示部分に含まれる前記キャラクタの数を、前記表示領域の大きさが前記第３の値より大きい第４の値である場合における前記テキスト表示部分に含まれる前記キャラクタの数より、少なくすることを特徴とする表示装置。
【請求項７】
請求項５又は請求項６に記載された表示装置であって、
前記表示部分制御部は、前記画像データが生成された日時に応じて、前記テキスト表示部分に含まれる前記キャラクタの数を、変化させることを特徴とする表示装置。
【請求項８】
請求項１から請求項７までのいずれか１項に記載された表示装置であって、
前記画像データ及び表示する前記テキストの前記表示領域における表示位置を制御する表示位置制御部を有し、
前記表示位置制御部は、前記テキストを前記画像データに重ねて表示する状態と、前記テキストを前記画像データとは異なる位置に表示する状態に、前記表示位置を制御することを特徴とする表示装置。
【請求項９】
コンピュータに、
画像データと、前記画像データに関連するテキストの少なくとも一部とを、同時に表示する表示領域を決定する処理と、
前記表示領域に前記テキストの少なくとも一部を表示する際、前記テキストを構成するキャラクタの大きさを決定する処理と、を実行させるプログラムであって、
前記表示領域の大きさに応じて、前記表示領域の大きさに対する前記キャラクタの大きさの比率を、変化させることを特徴とする表示制御プログラム。
【発明の詳細な説明】
【技術分野】
【０００１】
本発明は、画像データ及び当該画像データに関連するテキストを表示する表示装置及び表示制御プログラムに関する。
【背景技術】
【０００２】
画像データを解析した解析結果と、画像データに含まれる撮像情報等に基づいて、画像データに関連するテキストを生成し、これを画像データに重ねて表示する技術が提案されている（特許文献１等参照）。また、複数の画像データを一覧表示するいわゆるサムネイル表示が可能な表示装置も提案されている。
【先行技術文献】
【特許文献】
【０００３】
【特許文献１】特開２０１０−２０６２３９号公報
【発明の概要】
【発明が解決しようとする課題】
【０００４】
テキストを画像データに重ねて表示する従来技術では、テキストの表示態様について、画像に含まれる人物に重ならないように表示されることが好ましいと述べられている。しかし、従来技術では、画像データの表示サイズが変化すれば、これに比例してテキストの表示領域も変化すると考えられ、画像データの表示サイズが小さくなったような場合には、テキストの視認性が悪化するおそれがあり、また、画像をサムネイル表示するような場合には、テキストを視認可能な状態に表示できないおそれがある。
【０００５】
このような実状に鑑みて、本発明の目的は、画像データ及びこれに関連するテキストの表示領域に応じて、テキストの表示態様を好適に制御し得る表示装置及び表示制御プログラムを提供することである。
【課題を解決するための手段】
【０００６】
上述のような課題を解決するために、本発明に係る表示装置は、画像データ（６６）と、前記画像データに関連するテキスト（６８）の少なくとも一部とを、所定の表示領域（６０，７０）に同時に表示する表示部（２６）と、
前記表示領域に前記テキストの少なくとも一部を表示する際、前記テキストに含まれるキャラクタの大きさ（Ｐ１，Ｐ２）を制御するキャラクタサイズ制御部（５４）と、を有し、
前記キャラクタサイズ制御部は、前記表示領域の大きさ（Ａ１，Ａ２）に応じて、前記表示領域の大きさに対する前記キャラクタの大きさの比率（Ｐ１／Ａ１，Ｐ２／Ａ１）を、変化させることを特徴とする。
【０００７】
また、例えば、本発明に係る表示装置は、前記画像データに基づいて前記テキストを生成するテキスト生成部（４４）を有しても良く、
前記表示部が表示する前記テキストは、前記テキスト生成部によって生成されたものであっても良い。
【０００８】
また、例えば、前記キャラクタサイズ制御部は、前記表示領域の大きさが第１の値（Ａ２）である場合における前記表示領域の大きさに対する前記キャラクタの大きさ（Ｐ２）の比率を、前記表示領域の大きさが前記第１の値より大きい第２の値（Ａ１）である場合における前記表示領域の大きさに対する前記キャラクタの大きさ（Ａ１）の比率より、大きくしても良い。
【０００９】
また、例えば、前記キャラクタサイズ制御部は、前記画像データが生成された日時に応じて、前記表示領域の大きさに対する前記キャラクタの大きさの比率を、変化させても良い。
【００１０】
また、例えば、本発明に係る表示装置は、前記テキストのうち前記表示部に表示する部分であるテキスト表示部分を制御する表示部分制御部（５６）を有しても良く、
前記表示部分制御部は、前記表示領域の大きさに応じて、前記テキスト表示部分を変化させても良い。
【００１１】
また、例えば、前記表示部分制御部は、前記表示領域の大きさが第３の値（Ａ２）である場合における前記テキスト表示部分に含まれる前記キャラクタの数を、前記表示領域の大きさが前記第３の値より大きい第４の値（Ａ１）である場合における前記テキスト表示部分に含まれる前記キャラクタの数より、少なくしても良い。
【００１２】
また、例えば、前記表示部分制御部は、前記画像データが生成された日時に応じて、前記テキスト表示部分に含まれる前記キャラクタの数を、変化させても良い。
【００１３】
また、例えば、本発明に係る表示装置は、前記画像データ及び表示する前記テキストの前記表示領域における表示位置を制御する表示位置制御部（５８）を有しても良く、
前記表示位置制御部は、前記テキストを前記画像データに重ねて表示する状態と、前記テキストを前記画像データとは異なる位置に表示する状態に、前記表示位置を制御しても良い。
【００１４】
本発明に係る表示制御プログラムは、コンピュータに、
画像データと、前記画像データに関連するテキストの少なくとも一部とを、同時に表示する表示領域を決定する処理と、
前記表示領域に前記テキストの少なくとも一部を表示する際、前記テキストを構成するキャラクタの大きさを決定する処理と、を実行させるプログラムであって、
前記表示領域の大きさに応じて、前記表示領域の大きさに対する前記キャラクタの大きさの比率を、変化させることを特徴とする。
【００１５】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１６】
【図１】図１は、本発明の一実施形態に係る表示装置の概略ブロック図である。
【図２】図２は、図１に示す表示装置に含まれる画像処理部周辺の構成を表す概略ブロック図である。
【図３】図３は、表示部に表示される画像データ及びその付加情報の保存内容を表す概念図である。
【図４】図４は、表示部の表示の一例を表す概念図である。
【図５】図５は、表示部の表示の他の一例を表す概念図である。
【図６】図６は、第１実施形態に係る表示装置における１枚表示とサムネイル表示を比較した概念図である。
【図７】図７は、第１実施形態に係る表示装置における１枚表示と保存期間の異なる複数のサムネイル表示とを比較した概念図である。
【図８】図８は、第２実施形態に係る表示装置における１枚表示と保存期間の異なる複数のサムネイル表示とを比較した概念図である。
【図９】図９は、第２実施形態に係る表示装置において、表示部に表示される画像データ及びその付加情報の保存内容を表す概念図である。
【図１０】図１０は、第２実施形態に係る表示装置における１枚表示と保存期間の異なる複数のサムネイル表示とを比較した概念図である。
【発明を実施するための形態】
【００１７】
第１実施形態
図１は、本発明の一実施形態に係る表示装置１０の概略ブロック図である。表示装置１０は、撮像部１２、カメラ制御部２０、操作部２４、画像処理部４０、表示部２６、記憶部２８、バッファメモリ部３０、通信部３２、メモリカード（記憶媒体）３４等を有しており、各部分は、バス２７を介して相互に通信することができる。なお、各実施形態の説明に用いる表示装置１０は、撮像部１２を有するが、本発明に係る表示装置としてはこれに限定されず、画像データをテキストと共に表示可能な表示装置であれば良く、例えば画像データを表示可能なメディアプレーヤやタブレット端末及び携帯電話等であっても良い。
【００１８】
撮像部１２は、光学系１４、撮像素子１６、Ａ／Ｄ変換部１８等を有しており、画像データを生成する。光学系１４は、１又は２以上のレンズを備え、レンズに入射した光の像を、撮像素子１６の受光面に形成する。
【００１９】
撮像素子１６は、例えばＣＣＤやＣＭＯＳ等の固体撮像素子によって構成され、光学系１４を介して受光面に結像した光学像を、電気信号に変換する。撮像素子１６は、生成した電気信号を、Ａ／Ｄ変換部１８に出力する。Ａ／Ｄ変換部１８は、撮像素子１６によって生成された電気信号に対して、アナログ／デジタル変換等を行い、カメラ制御部２０及び画像処理部４０等で処理可能な画像データを生成する。
【００２０】
撮像部１２による画像データの生成動作は、カメラ制御部２０によって制御される。例えば、撮像部１２は、カメラ制御部２０による制御により、操作部２４等を介して撮影開始情報が入力されたタイミングで、撮像素子１６による光電変換を行い、いわゆる静止画を生成することができる。また、撮像部１２は、カメラ制御部２０による制御により、操作部２４等を介して動画撮影開始情報が入力されたタイミングで、連続的な光電変換を行い、いわゆる動画を生成することができる。動画や静止画のような保存画の画像データは、撮像部１２で生成された後、カメラ制御部２０の制御により、バッファメモリ部３０及び画像処理部４０を介して、メモリカード３４に保存される。
【００２１】
また、撮像部１２は、操作部２４等からの操作信号が入力されていない状態で自動的に画像データの生成を行い、いわゆるスルー画を生成することもできる。表示装置１０では、背面液晶パネルによって構成される表示部２６が、保存画の構図を決定するためのファインダー表示部として機能する。したがって、撮像部１２で生成されたスルー画は、画像処理部４０において必要な処理がなされたのち、表示部２６に表示される。
【００２２】
画像処理部４０は、メモリカード３４又はバッファメモリ部３０に記憶されている画像データに対して、各種の画像処理を実行する。画像処理部４０は、撮像部１２で生成された静止画、動画、スルー画等について画像処理を行う他、メモリカード３４等に保存されている撮像部１２以外で生成された画像データについても、画像処理を行うことができる。画像処理部４０は、各種補正処理や、データの圧縮及び変換、顔認識や色の抽出、テキスト情報の生成、画像及びテキスト表示態様の決定などを行うことができるが、画像処理部４０の詳細については、後ほど述べる。
【００２３】
表示部２６は、液晶ディスプレイ等で構成されており、画像データや、操作メニュー等を表示する。表示部２６は、画像データと、画像データに関連するテキストとを所定の領域に同時に表示することが可能であるが、表示部２６の詳細については、後ほど述べる。記憶部２８には、表示装置１０の制御に用いる撮影条件、画像処理条件、再生制御条件、表示制御条件、記録制御条件、入出力制御条件など、各種の情報が記憶されている。カメラ制御部２０や画像処理部４０は、必要に応じて、記憶部２８に記憶されている情報を読み出し、演算処理に利用することができる。記憶部２８は、ＲＯＭ等によって構成される。
【００２４】
バッファメモリ部３０は、カメラ制御部２０及び画像処理部４０が演算処理を実施する際の作業領域として利用される。例えば、画像処理部４０が画像データに対して画像処理を行う場合、処理の対象となる画像データは、記憶媒体から読み出され、バッファメモリ部３０に一次的に格納される。バッファメモリ部３０は、ＲＡＭ等によって構成される。
【００２５】
操作部２４は、操作者が表示装置１０に対して情報を入力するためのスイッチ等を有している。操作部２４は、電源スイッチ、レリーズスイッチ、モードスイッチ、メニュースイッチ、選択キー等を備えており、操作者の操作に対応した信号を、カメラ制御部２０に出力する。
【００２６】
例えば、操作部２４のレリーズスイッチは、保存画の取得開始に関するタイミング情報を入力するためのタイミング入力部として機能し、表示装置１０の操作者がレリーズスイッチを全押しした時、レリーズ開始信号をカメラ制御部２０に出力する。
【００２７】
通信部３２は、メモリカード３４を取り付けるスロットや、他の情報機器と通信を行うための送受信部等を有しており、表示装置１０は、通信部３２を介して、メモリカード３４や他の情報機器から情報を取得できる。また、カメラ制御部２０及び画像処理部４０は、通信部３２を介してメモリカード３４に画像データを出力し、メモリカード３４に画像データを保存することができる。さらに、カメラ制御部２０及び画像処理部４０のデータ入力部４２（図２参照）は、通信部３２を介してメモリカード３４から画像データ及び画像データに付随する情報を取得し、所定の態様で表示部２６に表示させることができる。
【００２８】
メモリカード３４は、通信部３２を介して着脱自在に接続される記憶媒体であり、撮像部１２で生成された画像データ等を記憶することができる。画像データをメモリカード３４に保存する際のファイル形式は特に限定されないが、例えば画像データは、画像データに関連する他の情報と共に、イグジフ（Ｅｘｉｆ）形式のファイルとして、メモリカード３４に保存される。
【００２９】
カメラ制御部２０は、表示装置１０が備えている各部分の制御を行う。例えば、カメラ制御部２０は、操作部２４等からの操作信号に基づき、撮像部１２にスルー画や保存画の生成を実施させることができる。また、カメラ制御部２０は、表示装置１０内の各部分に対する電力の供給や、振れ補正機構（不図示）の駆動を制御する。
【００３０】
カメラ制御部２０は、例えばマイクロプロセッサ等によって構成されるが、カメラ制御部２０と画像処理部４０の演算処理は、共通のマイクロプロセッサで行われても良く、また、別個の電子回路で行われても良い。
【００３１】
図２は、図１に示す表示装置１０のうち、画像データからテキスト情報を生成し、画像データとテキスト情報を表示する画像処理部４０と、その周辺部分を表すブロック図であり、画像処理部４０の詳細構成が示されている。画像処理部４０は、データ入力部４２、テキスト情報生成部４４、保存処理部４８、表示処理部５０等を有する。
【００３２】
データ入力部４２は、メモリカード３４又はバッファメモリ部３０に格納されている画像データ及び画像データに関連する情報を読み出し、テキスト情報生成部４４及び表示処理部５０に出力する。例えば、データ入力部４２は、画像データを表示部２６に表示させる処理を行う際、画像データの他に、画像データに関連付けて保存されているテキスト情報や撮影日時を、メモリカード３４から読み出し、表示処理部５０に出力することができる。また、データ入力部４２がテキスト情報生成部４４及び表示処理部５０に出力する画像データには、撮像部１２（図１参照）によって直前に生成された静止画、動画及びスルー画も含まれる。
【００３３】
テキスト情報生成部４４は、画像データから情報を抽出し、画像データに関連するテキストを生成する。また、テキスト情報生成部４４は、必要に応じて、テキストそのものに加えて、テキストに含まれるキャラクタのサイズやテキストの表示位置など、テキストの表示態様に関する情報を算出することができる。テキスト情報生成部４４は、画像解析部４５、文作成部４６及び表示条件部４７を有する。
【００３４】
画像解析部４５は、画像データを解析し、画像データの代表色や画像データに写っている人の数及び人の表情など、画像データの特徴を抽出する。また、画像解析部４５は、画像データの撮影場所や撮影時刻など、画像データに関連する情報を、データ入力部４２を介して取得することができる。
【００３５】
文作成部４６は、画像解析部４５によって抽出された画像データの特徴や、画像データに関連する情報を用いて、画像データから連想される言葉を推定し、画像データに関連するテキストを作成する。例えば、文作成部４６は、空欄を有する文章テンプレートを記憶部２８から読み出し、文章テンプレートの空欄に、画像データの特徴に関連する単語を当てはめることにより、テキストを作成することができる。また、文作成部４６によって作成されるテキストの長さは、特に限定されず、テキストは、１つの単語や１つのキャラクタで構成されていても良い。
【００３６】
表示条件部４７は、文作成部４６で作成されたテキストの表示の態様を算出する。例えば、表示条件部４７は、テキストを表示部２６に表示する際の字体（フォント）、テキストに含まれるキャラクタの大きさ（表示サイズ）、文字の色、表示位置等を算出する。また、表示条件部４７は、文作成部４６で生成された１つのテキストについて、複数の表示態様を算出しても良く、また、テキストの一部のみを表示させる場合に、他の部分より優先的に表示させる代表ワードに関する情報を生成しても良い。ただし、後述するように、表示部２６に表示されるテキストの表示態様は、表示処理部５０によって最終的に制御および決定される。すなわち、表示処理部５０は、表示部２６に表示するテキストの表示態様を決定する際に、表示条件部４７が算出したテキストの表示態様に関する情報を、参照することができる。
【００３７】
保存処理部４８は、テキスト情報生成部４４で生成されたテキスト及びテキストの表示態様などを含むテキスト情報を、テキストを生成する際に用いた画像データに関連付けて、メモリカード３４等に保存することができる。例えば、保存処理部４８は、テキスト情報を、テキストを生成する際に用いた画像データと共に保存ファイル（Ｅｘｉｆファイル等）に保存する。テキスト情報の保存態様は特に限定されないが、画像データを含む保存ファイルのファイル形式がＥｘｉｆである場合、保存処理部４８は、Ｅｘｉｆのメーカーノート部に、テキスト情報を保存することができる。なお、画像データの保存ファイルは、画像データ以外の情報として、テキスト情報の他に、例えば画像データの撮影日時や、保存ファイルの更新日時等の情報を含むことができる。
【００３８】
図３は、テキスト情報生成部４４によって生成され、保存処理部４８によって保存されたテキスト情報６８と、テキストを生成する際に用いた画像データ６６の一例を表す概念図である。テキスト情報６８は、撮影日時６９等と共に、画像データ６６に対する付加情報６７として、画像データ６６に関連づけて保存されている。また、テキスト情報６８は、テキスト情報生成部４４で生成されたテキストが「みんな、いい表情！」というキャラクタを含む旨の情報と、テキストの代表ワードが「いい表情！」である旨の情報を含む。第１実施形態では、図３に示す画像データ６６及び付加情報６７を含む保存ファイルを、表示部２６に表示する場合を例に、説明を行う。
【００３９】
図２に示す表示処理部５０は、データ入力部４２から出力された画像データの表示態様と、テキスト情報に含まれるテキストの表示態様を算出・決定し、表示部２６に制御信号を出力することにより、表示部２６の表示内容を制御する。表示部２６は、表示処理部５０の制御を受けて、画像データ６６と、画像データ６６に関連するテキストの少なくとも一部とを、所定の表示領域に、同時に表示することができる。表示処理部５０は、表示領域決定部５２と、キャラクタサイズ制御部５４と、テキスト表示部分制御部５６と、表示位置制御部５８と、画像表示部分制御部５９とを有する。
【００４０】
表示領域決定部５２は、画像データ及び画像データに関連するテキストを、表示部２６に表示する際における表示領域を決定する。例えば、表示領域決定部５２が、図４に示すように、画像データ６６及びテキスト（図３参照）を表示する表示領域６０を、表示部２６における表示可能領域の全体若しくは大部分とすることにより、表示部２６は、１枚の画像データ６６等を大きく表示する「１枚表示」を行うことができる。また、表示領域決定部５２が、図５に示すように、画像データ６６及びテキスト（図３参照）を表示する表示領域７０を、表示部２６における表示可能領域を複数に分割した部分の一つとすることにより、表示部２６は、複数の画像データ等を並べて同時に縮小表示する「サムネイル表示」を行うことができる。
【００４１】
図２に示す表示処理部５０に含まれるキャラクタサイズ制御部５４は、表示領域決定部５２で決定された表示領域６０，７０にテキストを表示する際に、そのテキストの表示を構成するキャラクタの大きさを制御する。図６は、図４に示す「１枚表示」における表示領域６０の表示内容と、図５に示す「サムネイル表示」における表示領域７０の表示内容とを、共通の寸法で比較した概念図である。
【００４２】
キャラクタサイズ制御部５４は、テキストに含まれるキャラクタの大きさを算出する際、表示領域６０，７０の大きさに応じて、表示領域６０，７０の大きさに対するキャラクタの大きさの比率を、変化させることができる。図６に示すように、表示領域６０，７０の大きさ（表示領域サイズ）を表示領域６０，７０の長辺の長さであるＡ１，Ａ２で代表させ、テキストを構成するキャラクタの大きさ（キャラクタサイズ）をキャラクタ（全角）の一辺の長さであるＰ１，Ｐ２で代表させた場合、Ｐ１／Ａ１とＰ２／Ａ１は異なる値となっている。
【００４３】
すなわち、キャラクタサイズ制御部５４は、表示領域サイズがＡ２である場合における表示領域サイズＡ２に対するキャラクタサイズＰ２の比率（Ｐ２／Ａ２）を、表示領域サイズがＡ２より大きいＡ１である場合における表示領域サイズＡ１に対するキャラクタサイズＰ１の比率（Ｐ１／Ａ１）より、大きくする（Ｐ２／Ａ２  ＞  Ｐ１／Ａ１）ことができる。ここで仮に表示領域サイズＡ１，Ａ２に対するキャラクタサイズＰ１，Ｐ２の比率（Ｐ１／Ａ２，Ｐ２／Ａ２）を、表示領域サイズＡ１，Ａ２に関わらず一定とすると、図５のようなサムネイル表示ではテキストの表示が小さくなりすぎてテキストの視認性が悪化し、図４のような一枚表示ではテキストの表示が強調されすぎて画像データの視認性が悪化するという問題が生じる。
【００４４】
しかし、表示装置１０では、キャラクタサイズ制御部５４が、表示領域６０，７０の縮小率と、テキストの表示６２，７２の縮小率とを独立に制御することにより、表示領域サイズＡ１，Ａ２に応じて表示領域サイズＡ１，Ａ２に対するキャラクタサイズＰ１，Ｐ２の比率が変化する。これにより、表示装置１０は、表示領域６０に表示する１枚表示では、テキストの表示６２を、画像表示６４の視認性を妨げない程度の大きさとしつつ、表示領域７０に表示するサムネイル表示において、テキストの視認性が悪化することを防止できる。なお、図５及び図６に示すようなサムネイル表示において、その画像表示７４及びテキストの表示７２は、主として保存された画像データ６６（図３参照）の概略を把握するために用いられる。したがって、サムネイル表示では、キャラクタサイズＰ２が大きいことによる画像表示７４の見栄えの低下は大きな問題とならず、使用者は、図６の右側に示すようなサムネイル表示から、容易に画像データ６６の概略を把握できる。
【００４５】
図２に示す表示処理部５０のテキスト表示部分制御部５６は、画像データに関連して保存されたテキストから、表示部２６に表示する部分であるテキスト表示部分を決定し、テキストの表示に含まれるキャラクタを制御する。図７は、第１実施形態に係る表示装置１０が、図３に示す画像データ６６及びテキスト情報６８を、表示部２６に表示する表示例を表したものである。図７（ａ）は、画像データ６６等を表示領域６０（図４参照）に表示する「１枚表示」の表示態様であり、図７（ｂ）〜図７（ｄ）は、画像データ６６等を表示領域７０（図５参照）に表示する「サムネイル表示」の表示態様である。なお、図７（ａ）の表示内容は、図６の左側に示したものと同じであり、図７（ｂ）の表示内容は、図６の右側に示したものと同じである。なお、図７では、表示領域６０の表示内容を表す図７（ａ）と、表示領域７０の表示内容を表す図７（ｂ）〜図７（ｄ）とを、同じ大きさで示しているが、表示領域６０と表示領域７０の実際の大きさは、図６に示すように互いに異なる。
【００４６】
テキスト表示部分制御部５６は、図７（ａ）及び図７（ｂ）に示すような表示を行う場合、テキスト情報６８として保存されたテキストの全体を、表示部２６に表示する部分であると決定する。これにより、図７（ａ）におけるテキストの表示６２と、図７（ｂ）におけるテキストの表示７２では、テキスト情報６８として保存されたテキストに含まれる全てのキャラクタが、表示領域６０，７０に表示される。
【００４７】
これに対して、図７（ｃ）及び図７（ｄ）に示すような表示を行う場合、テキスト表示部分制御部５６は、テキスト情報６８として保存されたテキストの一部である代表ワード「いい表情！」を、表示部２６に表示する部分であると決定する。これにより、図７（ｃ）におけるテキストの表示７５と、図７（ｄ）におけるテキストの表示７６では、テキストに含まれるキャラクタのうち一部のみが、表示領域７０に表示される。テキスト表示部分制御部５６は、テキスト情報生成部４４がテキストと共に生成した代表ワードに関する情報を参照して、テキストのなかで表示部２６に表示する部分を決定しても良いが、テキスト表示部分制御部５６がテキストの内容を解析することにより、表示部２６に表示する部分を決定しても良い。
【００４８】
図７（ａ）に示す「１枚表示」と図７（ｃ）に示す「サムネイル表示」の比較からわかるように、テキスト表示部分制御部５６は、表示領域サイズがＡ２である場合におけるテキストの表示７５に含まれるキャラクタの数（５）を、表示領域サイズがＡ２より大きいＡ１である場合におけるテキストの表示６２に含まれるキャラクタの数（９（中間のスペース含む））より、少なくすることができる。テキスト表示部分制御部５６が、表示領域サイズＡ１，Ａ２に応じて、テキストの表示７５に含まれるキャラクタの数を変化させることにより、表示装置１０は、テキストを表示する領域が小さく限定されていたとしても、テキストの表示７５に含まれるキャラクタを大きくすることが可能となり、テキストの視認性を向上させることができる。なお、先述したキャラクタサイズ制御部５４は、テキストの表示６２，７５に含まれるキャラクタの数を考慮して、キャラクタサイズＰ１，Ｐ２を変化させることができる。
【００４９】
図２に示す表示処理部５０の表示位置制御部５８は、図７に示す画像表示６４，７４及びテキストの表示６２，７２，７５，７６を、表示領域６０，７０におけるどの位置に配置するのかについて計算を行い、画像及びテキストの表示位置を決定する。図７（ａ）〜図７（ｄ）に示す例では、表示位置制御部５８は、表示領域６０，７０全体に画像データ６６（図３参照）を表示しているが、表示位置制御部５８によって決定される画像表示６４，７４はこれに限定されず、その他の配置については、第２実施形態において説明する。第１実施形態に示す例では、表示位置制御部５８は、画像表示６４，７４とテキストの表示６２，７２，７５，７６とが重なるように、画像データ６６（図３参照）に重ねてテキストを表示しているが、表示位置制御部５８は、テキストを画像データ６６とは異なる位置に表示するように、画像及びテキストの表示の配置を決定することもできる。
【００５０】
図２に示す表示処理部５０の画像表示部分制御部５９は、メモリカード３４等に保存されている画像データ６６のうち、表示領域６０，７０に表示する部分を算出及び決定することができる。図７（ａ）〜図７（ｄ）に示す例では、画像表示部分制御部５９は、画像データ６６の全体を表示領域６０，７０に表示する部分であると決定しているが、第２実施形態で説明するように、画像表示部分制御部５９は、画像データ６６の一部を、表示領域６０，７０に表示する部分とすることもできる。
【００５１】
上述のように、表示処理部５０では、キャラクタサイズ制御部５４が、表示領域６０，７０の縮小率と、テキストの表示６２，７２の縮小率とを独立に制御することにより、サムネイル表示のように画像データ６６を小さく表示する場合でも、テキストの視認性を良好に維持することができる。また、キャラクタサイズ制御部５４は、図７（ｂ）〜図７（ｄ）に示すように、表示領域７０の大きさが同一である場合にも、所定の条件に応じて、表示領域サイズＡ２に対するキャラクタサイズＰ２〜Ｐ４の比率を変化させることができる。
【００５２】
例えば、キャラクタサイズ制御部５４は、画像データ６６の付加情報６７に含まれる撮影日時６９（図３参照）を読み出し、画像データ６６の撮影日時６９に応じて、表示領域サイズＡ２に対するキャラクタサイズＰ２〜Ｐ４の比率を変化させることができる。キャラクタサイズ制御部５４は、画像データ６６の撮影日時６９が画像表示時に近く、画像データ６６が新しいものである場合には、図６及び図７（ｂ）に示すように、キャラクタサイズＰ２を視認可能な最小限度の大きさとし、画像表示７４の見栄えの低下を抑制することができる。
【００５３】
これに対して、キャラクタサイズ制御部５４は、画像データ６６の撮影日時６９が画像表示時より一定期間以上前であり、画像データ６６が古いものである場合には、図７（ｃ）及び図７（ｄ）に示すように、キャラクタサイズＰ３，Ｐ４を、図７（ｂ）に示すキャラクタサイズＰ２より大きくする。これにより、表示装置１０の操作者は、サムネイル表示を見た時点で、画像データ６６の新しさ及び古さを、容易に認識することが可能である。なお、図７（ｃ）及び図７（ｄ）に示すように、キャラクタサイズＰ３，Ｐ４を所定以上大きくすると、画像表示７４の見栄えが低下する恐れがあるが、古い画像についての記憶は薄れがちであるので、画像表示７４による記憶の想起に対する期待度を下げ、テキストの表示を強調して単純な情報を伝えるほうが、表示装置１０の操作者に対して画像データ６６に関する情報を伝えるという観点から見て、効率的である。
【００５４】
また、表示処理部５０のテキスト表示部分制御部５６も、キャラクタサイズ制御部５４と同様に、画像データ６６の撮影日時６９に応じて、テキスト表示部分を決定し、テキストの表示に含まれるキャラクタを制御することができる。例えば、テキスト表示部分制御部５６は、画像データ６６が新しいものである場合には、図６及び図７（ｂ）に示すように、テキスト情報６８として保存されたテキストの全体を、テキスト表示部分とすることができる。これに対して、テキスト表示部分制御部５６は、画像データ６６が古いものである場合には、図７（ｃ）及び図７（ｄ）に示すように、テキストに含まれる代表ワードのみを、テキスト表示部分とすることができる。これにより、画像データ６６が古い場合には、キャラクタサイズ制御部５４が、キャラクタサイズＰ３，Ｐ４をより大きくすることが可能になる。したがって、表示装置１０の操作者は、図７（ｂ）〜図７（ｄ）のように変化するサムネイル表示を見ることにより、画像データ６６の新旧を明確に把握することができる。
【００５５】
第２実施形態
図８は、第２実施形態に係る表示装置１０が、図３に示す画像データ６６及びテキスト情報６８を、表示部２６に表示する表示例を表したものである。第２実施形態に係る表示装置１０は、図２に示す表示処理部５０の処理が一部異なることを除き、第１実施形態に係る表示装置１０と同様であるため、相違点のみを説明する。図８（ａ）は、図７（ａ）と同様に、画像データ６６等を表示領域６０（図４参照）に表示する「１枚表示」の表示態様であり、図８（ｂ）〜図８（ｄ）は、図７（ｂ）〜図７（ｄ）と同様に、画像データ６６等を表示領域７０（図５参照）に表示する「サムネイル表示」の表示態様である。
【００５６】
図８（ａ）に示す表示内容は、図７（ａ）に示す表示内容と同様であり、図８（ｂ）に示す表示内容は、図７（ｃ）に示す表示内容と同様であるため、これらの表示内容を決定する際における表示処理部５０の処理については、説明を省略する。図８（ｃ）に示す表示内容を図８（ｂ）に示す表示内容と比較すると、テキストの表示７６については同様であるが、図８（ｃ）の画像表示７９が、図８（ｂ）の画像表示７４とは異なる。
【００５７】
表示処理部５０の表示位置制御部５８は、図８（ｃ）に示す表示を行う場合、画像データ６６の表示位置を、表示領域７０の一部とし、テキストの表示７６とは異なる位置に、画像データ６６を表示した画像表示７９を配置するように、画像及びテキストの表示の配置を決定する。この場合、テキストの表示７６の背景は、テキストの表示７６を目立たせるような均一表示とすることができるが、特に限定されない。
【００５８】
図８（ｃ）に示すように、テキストの表示７６と画像表示７９とを、表示領域７０における異なる位置に配置することにより、テキストの視認性をより向上させることができる。なお、画像表示７９の大きさを表す画像表示サイズＧ１は、表示領域サイズＡ２より小さくなるものの、図８（ｃ）に示す表示内容は、画像表示７９の一部がテキスト表示と重なって見えにくくなる問題を、解消することができる。
【００５９】
図８（ｄ）に示す表示内容を図８（ｃ）に示す表示内容と比較すると、テキストの表示７６については同様であるが、図８（ｄ）の画像表示８０が、図８（ｃ）の画像表示７９とは異なる。表示処理部５０における画像表示部分制御部５９は、図８（ｄ）に示す表示を行う場合、画像データ６６の一部を、表示領域７０に表示する部分であると決定する。画像表示部分制御部５９は、例えば画像データ６６に人物が写っている場合には、人物の顔及びその周辺部分のみを、表示領域７０に表示する部分とすることができる。これにより、画像表示サイズＧ１は表示領域サイズＡ２より小さくなるものの、画像データ６６の主要部分のみを大きく表示する表示態様となるため、図８（ｄ）の表示内容を見た操作者は、テキストの表示７６と画像表示８０の両方から、画像データ６６に関する情報を好適に視認することができる。
【００６０】
また、表示処理部５０は、サムネイル表示における表示部２６の表示内容を、画像データ６６が古くなっていくにつれて、図８（ｂ）に示す表示内容から、図８（ｃ）に示す表示内容を経て、図８（ｄ）に示す表示内容に、変化させることができる。これにより、表示装置１０は、画像データ６６の新しさ及び古さを表示できるとともに、画像データ６６に関する操作者の記憶を、効果的に想起させることができる。
【００６１】
第３実施形態
図９は、第３実施形態におけるテキスト情報生成部４４（図２参照）によって生成され、保存処理部４８によって保存されたテキスト情報８８を含む付加情報８７と、テキストを生成する際に用いた画像データ８６の一例を表す概念図である。第３実施形態におけるテキスト情報生成部４４は、文作成部４６がテキストを生成した後に、表示条件部４７が生成したテキストに関して複数の表示態様Ａ〜Ｄを算出し、これをテキスト情報８８として画像データ８６に関連づけて保存する。なお、第３実施形態に係る表示装置１０も、第１及び第２実施形態に係る表示装置１０と基本的な構成は同じであるため、重複部分については説明を省略する。
【００６２】
図１０は、第３実施形態に係る表示装置１０が、図９に示す画像データ８６及びテキスト情報８８を、表示部２６に表示する表示例を表したものである。図１０（ａ）は、画像データ８６等を表示領域６０（図４参照）に表示する「１枚表示」の表示態様であり、図１０（ｂ）〜図１０（ｄ）は、画像データ８６等を表示領域９０（図５参照）に表示する「サムネイル表示」の表示態様である。
【００６３】
図２に示す表示処理部５０では、図１０（ａ）に示す表示を行う際、キャラクタサイズ制御部５４、テキスト表示部分制御部５６及び表示位置制御部５８が、テキスト情報８８に含まれる表示態様Ａを参照し、テキストの表示８５を決定する。すなわち、キャラクタサイズ制御部５４は、テキスト情報８８の表示態様Ａにおける「フォントサイズ」の項目を参照して、テキストの表示８５におけるキャラクタサイズＰ５を決定する。また、テキスト表示部分制御部５６は、表示態様Ａにおける「表示部分」の項目を参照して、保存されたテキストの全体を、表示部２６に表示する部分であると決定する。さらに、表示位置制御部５８は、表示態様Ａにおける「表示位置」の項目を参照して、テキストの表示８５及び画像表示８４の配置を決定する。
【００６４】
これに対して、図１０（ｂ）に示す表示を行う際、表示処理部５０におけるキャラクタサイズ制御部５４、テキスト表示部分制御部５６及び表示位置制御部５８は、テキスト情報８８に含まれる表示態様Ｂを参照してテキストの表示９２を決定する。これにより、キャラクタサイズ制御部５４は、テキストの表示８５におけるキャラクタサイズＰ６を決定し、テキスト表示部分制御部５６は、保存されたテキストの全体を、表示部２６に表示する部分であると決定し、表示位置制御部５８はテキストの表示９２及び画像表示９４の配置を決定する。
【００６５】
第１実施形態及び第２実施形態と同様に、表示領域サイズＡ１，Ａ６に対するキャラクタサイズＰ５，Ｐ６の比率（Ｐ５／Ａ１，Ｐ６／Ａ６）は、表示領域サイズＡ１，Ａ６に応じて変化し、表示処理部５０は、表示領域サイズＡ１，Ａ６が変化しても、テキストの視認性を良好に維持することができる。また、キャラクタサイズ制御部５４及びテキスト表示部分制御部５６は、第１実施形態と同様に、画像データ８６の撮影日時に応じて、キャラクタサイズやテキスト表示部分を変更することができる。
【００６６】
すなわち、画像データ８６を同じ大きさの表示領域９０にサムネイル表示する場合であっても、キャラクタサイズ制御部５４は、画像データ８６が古くなっていくに従って、図１０（ｂ）のキャラクタサイズＰ６から、図１０（ｃ）のキャラクタサイズＰ７を経て、図１０（ｄ）のキャラクタサイズＰ８まで、段階的にキャラクタを大きくすることができる。また、テキスト表示部分制御部５６は、画像データ８６が古くなっていくに従って、図１０（ｂ）に示すテキストの表示９２から、図１０（ｃ）に示すテキストの表示９５を経て、図１０（ｄ）に示すテキストの表示９７まで、段階的に表示するキャラクタの数を減少させることができる。
【００６７】
なお、表示処理部５０におけるキャラクタサイズ制御部５４及びテキスト表示部分制御部５６は、図１０（ｃ）に示す表示を行う際はテキスト情報８８に含まれる表示態様Ｃを参照してテキストの表示９５を決定し、図１０（ｄ）に示す表示を行う際は表示態様Ｄを参照してテキストの表示９５を決定する。このように、表示処理部５０は、キャラクタの大きさやテキストの表示部分を決定する際に、保存されているテキスト情報８８を参照しても良く、また、第１及び第２実施形態で説明したように、キャラクタサイズ制御部５４が、画像データ６６を解析等することにより、独自に算出しても良い。
【符号の説明】
【００６８】
１０…表示装置
１２…撮像部
１４…光学系
１６…撮像素子
１８…Ａ／Ｄ変換部
２０…カメラ制御部
２４…操作部
２６…表示部
２７…バス
２８…記憶部
３０…バッファメモリ部
３２…通信部
３４…メモリカード
４０…画像処理部
４２…データ入力部
４４…テキスト情報生成部
４５…画像解析部
４６…文作成部
４７…表示条件部
４８…保存処理部
５０…表示処理部
５２…表示領域決定部
５４…キャラクタサイズ制御部
５６…テキスト表示部分制御部
５８…表示位置制御部
５９…画像表示部分制御部
６０，７０，９０…表示領域
Ａ１，Ａ２，Ａ６…表示領域サイズ
６２，７２，７５，７６，８５，９２，９５，９７…テキストの表示
Ｐ１，Ｐ２，Ｐ３，Ｐ４，Ｐ５，Ｐ６，Ｐ７，Ｐ８…キャラクタサイズ
６４，７４，７９，８０，８４，９４…画像表示
６６，８６…画像データ
６７，８７…付加情報
６８，８８…テキスト情報
６９…撮影日時
Ｇ１…画像表示サイズ
【図１】
2014137506.tif 000003
【図２】
2014137506.tif 000004
【図３】
2014137506.tif 000005
【図４】
2014137506.tif 000006
【図５】
2014137506.tif 000007
【図６】
2014137506.tif 000008
【図７】
2014137506.tif 000009
【図８】
2014137506.tif 000010
【図９】
2014137506.tif 000011
【図１０】
2014137506.tif 000012